(57)【要約】  デジタルカメラは、被写体を撮像して画像データを取得する撮像部と、被写体を撮像して取得した画像データを、複数の記録媒体に記録する記録制御部と、複数の記録媒体のそれぞれのアクセス速度を検出する速度検出部と、検出されたそれぞれのアクセス速度に基づいて、記録制御部が画像データを記録するための記録媒体を選択する選択部とを備え、複数の記録媒体のうち少なくとも１つは交換可能に構成される。
2009025211.tif 000002
【特許請求の範囲】
【請求項１】
被写体を撮像して画像データを取得する撮像部と、
被写体を撮像して取得した前記画像データを、複数の記録媒体に記録する記録制御部と、
前記複数の記録媒体のそれぞれのアクセス速度を検出する速度検出部と、
前記検出されたそれぞれのアクセス速度に基づいて、前記記録制御部が前記画像データを記録するための前記記録媒体を選択する選択部とを備え、
前記複数の記録媒体のうち少なくとも１つは交換可能に構成されるデジタルカメラ。
【請求項２】
請求項１に記載のデジタルカメラにおいて、
前記撮像部により取得された前記画像データを処理して複数の画像データを生成する処理部と、
前記複数の画像データのそれぞれのデータサイズを検出するサイズ検出部とをさらに備え、
前記選択部は、前記検出されたデータサイズに応じて、前記複数の画像データを記録する前記記録媒体をそれぞれ選択するデジタルカメラ。
【請求項３】
請求項２に記載のデジタルカメラにおいて、
前記処理部は、前記画像データのデータサイズを圧縮するような圧縮処理を前記画像データに施す圧縮部を含み、
前記処理部は、前記画像データに前記圧縮部による圧縮処理を施して作成した第１の画像データと、前記画像データに前記圧縮処理を施すことなく作成した第２の画像データとを生成し、
前記第１の画像データのデータサイズと前記第２の画像データのデータサイズとが異なるデジタルカメラ。
【請求項４】
請求項２に記載のデジタルカメラにおいて、
前記処理部は、前記画像データに対して画像処理を施す画像処理部を含み、
前記処理部は、前記画像データに前記画像処理部による画像処理を施して作成した第１の画像データと、前記画像データに前記画像処理を施すことなく作成した第２の画像データとを生成し、
前記第１の画像データのデータサイズと前記第２の画像データのデータサイズとが異なるデジタルカメラ。
【請求項５】
請求項２乃至４のいずれか一項に記載のデジタルカメラにおいて、
前記記録制御部が前記データサイズの大きい画像データを前記アクセス速度の速い記録媒体に記録し、前記データサイズの小さい画像データを前記アクセス速度の遅い記録媒体に記録するように、前記選択部は、前記記録媒体を選択するデジタルカメラ。
【請求項６】
請求項２乃至５のいずれか一項に記載のデジタルカメラにおいて、
前記複数の記録媒体は３つ以上の記録媒体を含み、
前記記録制御部が３つ以上の記録媒体に画像データを記録する場合、前記データサイズが最大の画像データを前記アクセス速度が最速の記録媒体に記録するように、前記選択部は前記記録媒体を選択するデジタルカメラ。
【請求項７】
請求項１に記載のデジタルカメラにおいて、
前記撮像部により取得された前記画像データを処理して複数の画像データを生成する処理部をさらに備え、
前記記録媒体のアクセス速度がそれぞれ異なる場合、前記記録制御部が前記複数の画像データを前記アクセス速度が最速の記録媒体に記録するように、前記選択部は、前記記録媒体を選択するデジタルカメラ。
【請求項８】
請求項１に記載のデジタルカメラにおいて、
前記撮像部により取得された前記画像データを処理して複数の画像データを生成する処理部と、
前記記録媒体に記録された画像データを読み出す読出部とをさらに備え、
前記複数の記録媒体に前記複数の画像データが記録されている場合、前記読出部は、前記アクセス速度が最速の記録媒体から画像データを読み出すデジタルカメラ。
【請求項９】
請求項１に記載のデジタルカメラにおいて、
前記複数の記録媒体のそれぞれの残容量を検出する残容量検出部をさらに備え、
前記選択部は、前記アクセス速度と前記残容量検出部により検出された残容量とに基づいて、前記画像データを記録するための前記記録媒体を選択するデジタルカメラ。
【発明の詳細な説明】
【技術分野】
【０００１】
本発明は、複数の記録媒体に画像データを記録できるデジタルカメラに関する。
【背景技術】
【０００２】
従来から、複数の記録媒体を挿入できるカメラが知られている（たとえば特許文献１）。
【特許文献１】特開平５−１０３２９１号公報
【発明の開示】
【発明が解決しようとする課題】
【０００３】
しかしながら、複数の記録媒体のそれぞれの書き込み速度に速度差がある場合には、記録媒体の書き込み速度と画像データのデータサイズとによっては、書き込み処理に時間を要し、次の撮影処理が行えないという問題がある。
【課題を解決するための手段】
【０００４】
本発明の第１の態様によると、デジタルカメラは、被写体を撮像して画像データを取得する撮像部と、被写体を撮像して取得した画像データを、複数の記録媒体に記録する記録制御部と、複数の記録媒体のそれぞれのアクセス速度を検出する速度検出部と、検出されたそれぞれのアクセス速度に基づいて、記録制御部が画像データを記録するための記録媒体を選択する選択部とを備え、複数の記録媒体のうち少なくとも１つは交換可能に構成される。
本発明の第２の態様によると、第１の態様のデジタルカメラにおいて、撮像部により取得された画像データを処理して複数の画像データを生成する処理部と、複数の画像データのそれぞれのデータサイズを検出するサイズ検出部とをさらに備え、選択部は、検出されたデータサイズに応じて、複数の画像データを記録する記録媒体をそれぞれ選択することが好ましい。
本発明の第３の態様によると、第２の態様のデジタルカメラにおいて、処理部は、画像データのデータサイズを圧縮するような圧縮処理を画像データに施す圧縮部を含み、処理部は、画像データに圧縮部による圧縮処理を施して作成した第１の画像データと、画像データに圧縮処理を施すことなく作成した第２の画像データとを生成し、第１の画像データのデータサイズと第２の画像データのデータサイズとが異なることが好ましい。
本発明の第４の態様によると、第２の態様のデジタルカメラにおいて、処理部は、画像データに対して画像処理を施す画像処理部を含み、処理部は、画像データに画像処理部による画像処理を施して作成した第１の画像データと、画像データに画像処理を施すことなく作成した第２の画像データとを生成し、第１の画像データのデータサイズと第２の画像データのデータサイズとが異なることが好ましい。
本発明の第５の態様によると、第２乃至４の態様のいずれかのデジタルカメラにおいて、記録制御部がデータサイズの大きい画像データをアクセス速度の速い記録媒体に記録し、データサイズの小さい画像データをアクセス速度の遅い記録媒体に記録するように、選択部は、記録媒体を選択することが好ましい。
本発明の第６の態様によると、第２乃至５の態様のいずれかのデジタルカメラにおいて、複数の記録媒体は３つ以上の記録媒体を含み、記録制御部が３つ以上の記録媒体に画像データを記録する場合、データサイズが最大の画像データをアクセス速度が最速の記録媒体に記録するように、選択部は記録媒体を選択することが好ましい。
本発明の第７の態様によると、第１の態様のデジタルカメラにおいて、撮像部により取得された画像データを処理して複数の画像データを生成する処理部をさらに備え、記録媒体のアクセス速度がそれぞれ異なる場合、記録制御部が複数の画像データをアクセス速度が最速の記録媒体に記録するように、選択部は、記録媒体を選択することが好ましい。
本発明の第８の態様によると、第１の態様のデジタルカメラにおいて、撮像部により取得された画像データを処理して複数の画像データを生成する処理部と、記録媒体に記録された画像データを読み出す読出部とをさらに備え、複数の記録媒体に複数の画像データが記録されている場合、読出部は、アクセス速度が最速の記録媒体から画像データを読み出すことが好ましい。
本発明の第９の態様によると、第１の態様のデジタルカメラにおいて、複数の記録媒体のそれぞれの残容量を検出する残容量検出部をさらに備え、選択部は、アクセス速度と残容量検出部により検出された残容量とに基づいて、画像データを記録するための記録媒体を選択することが好ましい。
【発明の効果】
【０００５】
本発明によれば、複数の記録媒体のそれぞれのアクセス速度に基づいて画像データを記録するための記録媒体を選択するので、画像データのデータサイズが大きい場合でも撮影を継続することができる。
【図面の簡単な説明】
【０００６】
【図１】本発明の実施の形態による電子カメラの要部構成を示す図
【図２】実施の形態による電子カメラの制御系のブロック図
【図３】第1の実施の形態におけるサブ表示器の表示の一例と示す図
【図４】第1の実施の形態における記録媒体の選択処理を説明するフローチャート
【図５】第２の実施の形態におけるサブ表示器の表示の一例を示す図
【図６】第２の実施の形態における記録媒体の選択処理を説明するフローチャート
【図７】第３の実施の形態におけるサブ表示器の表示の一例を示す図
【図８】第３の実施の形態における記録媒体の選択処理を説明するフローチャート
【図９】第４の実施の形態による電子カメラの制御系のブロック図
【図１０】第４の実施の形態における記録媒体の優先順位を説明する図
【図１１】第４の実施の形態におけるサブ表示器の表示の一例を示す図
【図１２】第４の実施の形態における記録媒体の優先順位を説明する図
【図１３】記録媒体が交換された場合の優先順位を説明する図
【発明を実施するための最良の形態】
【０００７】
−第１の実施の形態−
図１〜図４を参照して、本発明による第１の実施の形態における電子カメラを説明する。図１は電子カメラ１００の要部構成を示す図である。電子カメラ１００のボディに、撮影レンズＬ１と絞り２０１とを備える交換レンズ２００が着脱可能に装着されている。カメラ１００のボディ側には、クイックリターンミラー１０１、焦点板１０２、ペンタプリズム１０３、接眼レンズ１０５、シャッタ１０６、撮像素子１０７、および焦点検出用センサ１０８が設けられている。【０００８】
図２は電子カメラ１００の制御系のブロック図である。図２において、図１に示した構成要素には同一の符号を付して説明する。電子カメラ１００の制御系は、撮像素子１０７、焦点検出用センサ１０８、制御回路１１１、一時記録メモリ１１２、内蔵メモリ１１３、ＬＣＤ駆動回路１１９、メイン表示器１２０、操作部１２１、カードインタフェース１２２ａ〜１２２ｂ、メモリカード１２３ａ〜１２３ｂ、およびサブ表示器１２５を備えている。【０００９】
図１を参照して説明すると、交換レンズ２００を通過して電子カメラ１００に入射した被写体光は、シャッタレリーズ前は図１において実線で示すように位置するクイックリターンミラー１０１で上方へ導かれて焦点板１０２に結像する。被写体光はさらにペンタプリズム１０３へ入射される。ペンタプリズム１０３は、入射された被写体光を接眼レンズ１０５へ導く。被写体光の一部はクイックリターンミラー１０１の半透過領域を透過し、サブミラー１０１ａにて下方に反射され、焦点検出用センサ１０８へ入射される。【００１０】
レリーズ後はクイックリターンミラー１０１が図１の破線で示される位置へ回動し、被写体光がシャッタ１０６を介して撮像素子１０７へ導かれ、その撮像面上に被写体像が結像する。撮像素子１０７は、受光した被写体光をその強度に応じた画像信号に変換するＣＣＤやＣＭＯＳなどの光電変換素子である。【００１１】
図２を参照して制御系について詳細に説明する。
撮像素子１０７は、制御回路１１１が出力するタイミング信号に応じて、画像信号を出力する。制御回路１１１は、図示しないＣＰＵ、ＲＯＭおよびＲＡＭ等を備え、電子カメラ１００の各構成要素を制御したり、各種のデータ処理を実行する演算回路である。制御回路１１１は、撮像素子１０７の出力する画像信号にアナログ的な処理を施してからデジタルの画像データに変換する回路である。【００１２】
制御回路１１１は、画像処理部１１４および画像圧縮部１１５を備える。画像処理部１１４は、画像データに対して、ホワイトバランス処理、ガンマ補正処理、色補間処理、輪郭強調、ビネット補正などの画像処理を実行する。画像圧縮部１１５は、画像処理部１１４で画像処理の施された本画像データに対してＪＰＥＧ圧縮処理を実行する回路である。【００１３】
一時記録メモリ１１２は、画像処理、画像圧縮処理および表示データ作成処理の途中や処理後のデータを一時的に格納するために使用される揮発性メモリである。内蔵メモリ１１３は、上述した画像処理などが施された画像データを記録するための不揮発性メモリである。【００１４】
メモリカードインタフェース１２２ａ、１２２ｂは、メモリカード１２３ａ、１２３ｂが着脱可能なインタフェースであり、メモリカード１２３ａ、１２３ｂの着脱を検出すると検出信号を制御回路１１１へ出力する。メモリカードインタフェース１２２ａ、１２２ｂは、制御回路１１１の制御に基づいて、一時記録メモリ１１２に一時的に格納された画像データをメモリカード１２３ａ、１２３ｂに書き込んだり、メモリカード１２３ａ、１２３ｂに記録されている画像データを読み出す。メモリカード１２３ａ、１２３ｂはコンパクトフラッシュ（登録商標）やＳＤカードなどの半導体メモリカードである。【００１５】
ＬＣＤ駆動回路１１９は、制御回路１１１の命令に基づいてメイン表示器１２０を駆動する回路である。メイン表示器１２０はたとえば液晶表示パネルであり、再生モードにおいて、内蔵メモリ１１３もしくはメモリカード１２３ａ、１２３ｂに記録されている画像データに基づいて制御回路１１１で作成された表示データの表示を行う。また、メイン表示器１２０には、電子カメラ１００の各種動作を設定するためのメニュー画面が表示される。メニュー画面に表示される設定内容として、撮影画像の画質を設定するための画質モードがある。画質モードにおいては、たとえばノーマル、ファイン、ＲＡＷ、ＲＡＷ＋ファイン、ＲＡＷ＋ノーマルなどの画質が設定可能である。ノーマル画質やファイン画質の画像データは、上述したように、制御回路１１１によりＪＥＰＧ圧縮が施される。ＲＡＷ＋ファイン、ＲＡＷ＋ノーマルなどのように同一被写体に対して画質の異なる複数の画像データを取得する場合においては、複数の画像データを異なる記録媒体に記録することができる。【００１６】
操作部１２１は、ユーザの操作を受け付けるスイッチである。操作部１２１には、電源スイッチ、レリーズスイッチ、その他の設定メニューの表示切換スイッチ、設定メニュー決定ボタンなどが含まれる。操作部１２１で設定可能な内容として、電子カメラ１００の動作モード、撮影画像のサイズ（Ｌ，Ｍ，Ｓ）、および上述した撮影画像の画質などの設定がある。電子カメラ１００は、動作モードとして、たとえば単写モード、連写モード、および再生モードなどを有している。【００１７】
サブ表示器１２５は電子カメラ１００のボディ上面に設けられた、たとえば液晶表示パネルである。サブ表示器１２５には、設定された動作モード、画質モード、撮影画像の記録に用いられている記録媒体などの情報が表示される。【００１８】
画質モードにおいて、たとえばＲＡＷ＋ノーマルなどのように異なる２種類の画質で画像データを記録する場合について説明する。制御回路１１１は、圧縮処理の施されていないＲＡＷデータと圧縮処理の施された画像データとを、アクセス速度の異なるメモリカード１２３ａ、１２３ｂもしくは内蔵メモリ１１３のいずれか２つに記録する。この場合の制御回路１１１による記録媒体の選択処理について説明する。本実施の形態においては、メモリカード１２３ａのアクセス速度、すなわちデータ書き込みおよび読み出し速度は、たとえばＵＤＭＡ  ｍｏｄｅ２（３３．３ＭＢ／ｓ）、メモリカード１２３ｂはＰＩＯ  ｍｏｄｅ６（２５ＭＢ／ｓ）、内蔵メモリ１１３はＰＩＯ  ｍｏｄｅ２（８．３３ＭＢ／ｓ）として規定されているものとして説明する。ＵＤＭＡおよびＰＩＯはデータの伝送方式に関する規格であり、内蔵メモリ１１３、メモリカード１２３ａ、１２３ｂ内の所定の領域に書き込まれている。ＰＩＯ方式はｍｏｄｅ０〜６まで定義されており、ｍｏｄｅ０〜６の順で書き込みおよび読み出し速度が速くなる。また、ＵＤＭＡ方式ではＰＩＯ方式よりも早くデータを伝送することができる。【００１９】
メモリカード１２３ａ、１２３ｂが装着されると、制御回路１１１は、カードインタフェース１２２ａ、１２２ｂを介して、メモリカード１２３ａ、１２３ｂのデータ伝送方式の規格に基づくそれぞれのアクセス速度、すなわち書き込み速度を読み込む。さらに、制御回路１１１は、内蔵メモリ１１３のデータ伝送方式の規格に基づく書き込み速度を読み込む。そして、制御回路１１１は、読み込んだ書き込み速度に基づいて、内蔵メモリ１１３、メモリカード１２３ａ、１２３ｂの書き込み速度に関して優先順位を設定する。すなわち、本実施の形態において、制御回路１１１は、メモリカード１２３ａ、１２３ｂ、内蔵メモリ１１３の順序で優先順位を設定する。【００２０】
制御回路１１１は、画質モードで設定された画質やサイズなどに応じて記録する画像データのデータサイズを予測し、データサイズの順位付けをする。ＲＡＷデータのデータサイズは、たとえば１８Ｍｂｉｔｅ、ノーマル画質の画像データのデータサイズは、たとえば３Ｍｂｉｔｅなので、制御回路１１１は、ＲＡＷデータ、ノーマル画質の画像データの順序で順位付けする。なお、画質とデータサイズとの対応関係を示す対応データは、あらかじめ所定の記録領域に記録され、制御回路１１１は、データサイズの順位付けの際にこの対応データを参照する。【００２１】
内蔵メモリ１１３、メモリカード１２３ａ、１２３ｂの優先順位の設定、およびデータサイズの順位付けがされると、制御回路１１１は、画像データを記録する記録媒体を、内蔵メモリ１１３、メモリカード１２３ａ、１２３ｂの中から選択して割り当てる。制御回路１１１は、順位付けの高いデータ、すなわちＲＡＷデータを優先順位が最高のメモリカード１２３ａに記録し、順位付けの低いデータ、すなわちノーマル画質の画像データを優先順位が２番目のメモリカード１２３ｂに記録するように設定する。この結果、画像データのデータサイズが大きいほど書き込み速度の高速なメモリカード１２３ａに記録できる。【００２２】
図３に示すように、画像データを記録する記録媒体を割り当てると、制御回路１１１はサブ表示器１２５に対して、画像データの画質と記録する記録媒体との対応関係を表示させる。図３において、矩形１はメモリカード１２３ａを、矩形２はメモリカード１２３ｂを、矩形３は内蔵メモリ１１３を表す。なお、記録媒体を表すものは矩形に限定されない。【００２３】
上述したように、ＲＡＷデータの記録にはメモリカード１２３ａが割り当てられているので、サブ表示器１２５は、矩形１の下部に、ＲＡＷデータを記録することを示す「ＲＡＷ」マークを表示する。さらに、矩形１を濃色表示する。同様にＪＰＥＧ圧縮されたノーマル画質の画像データの記録にはメモリカード１２３ｂが割り当てられているので、サブ表示器１２５は、矩形２の下部に「ＪＰＥＧ」マークを表示するとともに、矩形２を濃色表示する。内蔵メモリ１１３は画像データの記録に割り当てられていないので、サブ表示器１２５は、矩形３を淡色表示する。【００２４】
メモリカード１２３ａ、１２３ｂに画像データを記録中に、メモリカード１２３ａの残容量がＲＡＷデータの記録に十分な容量に満たなくなると、制御回路１１１は、記録媒体の割り当てを、次ぎの２つの方式のいずれかに変更する。なお、以下の２方式のいずれを用いるかは、ユーザによる操作部１２１の操作により選択することができる。
１．ＲＡＷデータをメモリカード１２３ｂに記録し、ノーマル画質（ＪＰＥＣ）の画像データを内蔵メモリ１１３に記録するように割り当てる。
２．ＲＡＷデータを内蔵メモリ１１３に記録するように割り当てを変更し、ノーマル画質（ＪＰＥＣ）の画像データの割り当ては変更せずにメモリカード１２３ｂへ記録する。【００２５】
上記の方式１においては、画像データのデータサイズが大きいほど書き込み速度の高速な記録媒体に記録できる。上記の方式２においては、ユーザは、たとえばメモリカード１２３ｂにはＪＰＥＧ圧縮された画像データのみ記録するなどのような使い方が可能になる。【００２６】
図４に示すフローチャートを用いて、実施の形態による電子カメラ１００の記録媒体の選択動作における各処理について説明する。図４の各処理は制御回路１１１でプログラムを実行して行われる。図４の各処理を行なうプログラムはメモリ（不図示）に格納されており、電源スイッチから電源オン信号が入力される、もしくはメモリカードインタフェース１２２ａ、１２２ｂから検出信号が入力されると起動される。【００２７】
ステップＳ１１０においては、複数の記録媒体が存在するか、すなわち内蔵メモリ１１３以外にメモリカード１２３ａ、１２３ｂの少なくとも一方が装着されているか否かを判定する。複数の記録媒体が存在する場合、すなわちメモリカードインタフェース１２２ａ、１２２ｂの少なくとも一方から検出信号を入力している場合、ステップＳ１１０が肯定判定されてステップＳ１２０へ進む。メモリカードインタフェース１２２ａ、１２２ｂの両方から検出信号を入力しない場合、すなわち記録媒体が１つの場合は、ステップＳ１１０が否定判定されて一連の処理を終了する。【００２８】
ステップＳ１２０においては、内蔵メモリ１１３、メモリカード１２３ａ、１２３ｂのデータ伝送方式の規格に基づく書き込み速度を読み込んでステップＳ１３０へ進む。ステップＳ１３０においては、ステップＳ１２０で読み込んだ書き込み速度に基づいて、内蔵メモリ１１３、メモリカード１２３ａ、１２３ｂの書き込み速度に関する優先順位を設定してステップＳ１４０へ進む。【００２９】
ステップＳ１４０においては、同一の被写体を撮影して取得した複数の画像データを異なる複数の記録媒体に記録するように設定されているか否かを判定する。画質モードが、たとえばＲＡＷ＋ファイン、ＲＡＷ＋ノーマルのように同一被写体に対する複数の画像データを異なる複数の記録媒体に記録するモードに設定されている場合は、ステップＳ１４０が肯定判定されてステップＳ１５０へ進む。画質モードが、たとえばファイン、ノーマルのように複数の記録媒体に記録するモードではない場合、ステップＳ１４０が否定判定されて一連の処理を終了する。【００３０】
ステップＳ１５０においては、画質モードで設定された画質に応じて記録する画像データのデータサイズを予測し、データサイズの順位付けをしてステップＳ１６０へ進む。ステップＳ１６０においては、ステップＳ１３０において設定した記録媒体の書き込み速度に関する優先順位と、ステップＳ１４０において設定した画像データのデータサイズの順位付けとに基づいて、画像データを記録する記録媒体を割り当てる。すなわち、データサイズが大きい画像データを書き込み速度の高速な記録媒体に記録するように記録媒体を割り当ててステップＳ１７０へ進む。ステップＳ１７０においては、サブ表示器１２５に対して割り当てた記録媒体と、画質との対応関係を表示させて一連の処理を終了する。【００３１】
以上で説明した、第１の実施の形態においては、以下の作用効果が得られる。
（１）制御回路１１１は、内蔵メモリ１１３、および交換可能すなわち着脱可能なメモリカード１２３ａ、１２３ｂのそれぞれのアクセス速度に基づいて、画像データを記録するための記録媒体を選択するようにした。したがって、書き込み速度の異なる複数の記録媒体が存在する場合、書き込み速度が最速の記録媒体に画像データを記録できるので、撮影時における一時記録メモリ１１２の容量を確保して電子カメラ１００の記録処理能力を向上できる。【００３２】
（２）制御回路１１１は、圧縮されていない１８ＭｂｉｔｅのＲＡＷデータをメモリカード１２３ａに記録し、ＪＰＥＧ圧縮された３Ｍｂｉｔｅの画像データをメモリカード１２３ｂに記録するように、記録媒体を選択するようにした。すなわち、同一被写体に対応する異なる複数の画像データを記録する場合、制御回路１１１は、画像データのそれぞれのデータサイズを検出し、データサイズの順位付けが高い画像データを書き込み速度の優先順位が高い記録媒体に記録するようにした。したがって、データサイズが大きいＲＡＷデータを書き込み速度の遅いメモリカード１２３ｂや内蔵メモリ１１３に書き込む場合のように、記録媒体への書き込み時間がボトルネックとなり、一時記録メモリ１１２の容量が一杯になって撮影を継続できなくなるという事態を防ぐことができるので、ユーザはシャッターチャンスを逃さずに済む。【００３３】
（３）制御回路１１１は、画像データのそれぞれのデータサイズを検出し、データサイズが最大の画像データを書き込み速度が最大の記録媒体に記録するようにした。その結果、単位バイト当りの書き込み速度は、画像データのデータサイズが大きいほど速くなるので、記録処理に要する時間を短縮できる。【００３４】
第１の実施の形態の電子カメラ１００を以下のように変形できる。
（１）複数の動画データを記録する場合においても、制御回路１１１は、動画データのデータサイズと記録媒体のアクセス速度とに基づいて、動画データを記録する記録媒体を選択するようにしてもよい。たとえば、データサイズの異なるカラー動画データとモノクロ動画データとを記録する場合には、制御回路１１１は、データサイズの大きいカラー動画データをメモリカード１２３ａに記録し、データサイズの小さいモノクロ動画データをメモリカード１２３ｂに記録すればよい。また、データサイズの異なるＨＤＶ（High  Definition  Video）とＶＧＡとを記録するような場合においても、制御回路１１１は、データサイズの大きいＨＤＶデータをメモリカード１２３ａに記録し、データサイズの小さいＶＧＡデータをメモリカード１２３ｂに記録することができる。【００３５】
（２）画像データの圧縮の有無に応じてデータサイズの順位付けをするものに代えて、画像データに対する画像処理の有無に応じてデータサイズの順位付けをしてもよい。この場合、たとえば画質モードがＲＡＷ＋ノーマルに設定されているとすると、画像処理の施されていないＲＡＷデータはデータサイズが大きくなり、画像処理の施されたノーマル画質の画像データはデータサイズが小さくなる。したがって、制御回路１１１は、画像データに対する画像処理の有無に応じて、ＲＡＷデータの順位付けを高く、ノーマル画質の画像データの順位付けを低く設定して、データサイズの順位付けが高い画像データを書き込み速度の優先順位が高い記録媒体に記録すればよい。【００３６】
−第２の実施の形態−
図５〜図６を参照して、本発明による電子カメラの第２の実施の形態を説明する。以下の説明では、第１の実施の形態と同じ構成要素には同じ符号を付して相違点を主に説明する。特に説明しない点については、第１の実施の形態と同じである。本実施の形態では、ＲＡＷ＋ファイン、ＲＡＷ＋ノーマルなどのように同一被写体に対して画質の異なる複数の画像データを取得する場合において、複数の画像データを同一の記録媒体に記録する点で、第１の実施の形態と異なる。【００３７】
また、第２の実施の形態においては、画像データを書き込む記録媒体を、ユーザによる操作部１２１の操作により指定することができる。図５（ａ）に、メモリカード１２３ｂが書き込み指定された場合のサブ表示器１２５の表示の一例を示す。図５において、矩形１はメモリカード１２３ａを、矩形２はメモリカード１２３ｂを、矩形３は内蔵メモリ１１３を表す。なお、記録媒体を表すものは矩形に限定されない。図５（ａ）において、書き込み指定されたメモリカード１２３ｂに対応する矩形２が濃色表示され、書き込み指定されていないメモリカード１２３ａおよび内蔵メモリ１１３に対応する矩形１および矩形３は淡色表示される。【００３８】
画質モードにおいて、たとえばＲＡＷ＋ノーマルなどのように異なる２種類の画質で画像データを記録する場合に、制御回路１１１は、圧縮処理の施されていないＲＡＷデータと圧縮処理の施された画像データとを同一の記録媒体に記録する。この場合、制御回路１１１は、第１の実施の形態と同様にして、内蔵メモリ１１３、メモリカード１２３ａ、１２３ｂのデータ伝送方式の規格に基づくそれぞれの書き込み速度を読み込む。そして、制御回路１１１は、読み込んだ書き込み速度に基づいて、内蔵メモリ１１３、メモリカード１２３ａ、１２３ｂの書き込み速度に関して優先順位を設定する。すなわち、制御回路１１１は、メモリカード１２３ａ、１２３ｂ、内蔵メモリ１１３の順序で優先順位を設定する。【００３９】
上述のようにして記録媒体の書き込み速度に関する優先順位を設定すると、制御回路１１１は、ユーザにより書き込み指定された記録媒体が、優先順位が最高の記録媒体と同一か否か判定する。メモリカード１２３ａがユーザにより書き込み指定されている場合は、制御回路１１１は、記録媒体の割り当てを変更せずに、画像データがメモリカード１２３ａに記録されるようにする。メモリカード１２３ｂまたは内蔵メモリ１１３が書き込み指定されている場合は、制御回路１１１は、記録媒体の割り当てを変更して、画像データがメモリカード１２３ａに記録されるようにする。【００４０】
画像データを記録するメモリカードを割り当てると、制御回路１１１はサブ表示器１２５に対して、図５（ｂ）に示すように画像データの画質と記録する記録媒体との対応関係を表示させる。画像データの記録にはメモリカード１２３ａが割り当てられているので、サブ表示器１２５は、矩形１の下部に、ＲＡＷデータとＪＰＥＧ圧縮されたノーマル画質の画像データとを記録することを示す「ＲＡＷ」および「ＪＰＥＧ」マークを表示する。そして、サブ表示器１２５は、矩形１を濃色表示する。メモリカード１２３ｂおよび内蔵メモリ１１３は画像データの記録に割り当てられていないので、サブ表示器１２５は、矩形２および矩形３を淡色表示する。【００４１】
優先順位が最高のメモリカード１２３ａに画像データを記録中に、メモリカード１２３ａの残容量が画像データの記録に十分な容量に満たなくなると、制御回路１１１は、記録媒体の割り当てを優先順位が２番目に高いメモリカード１２３ｂに変更する。記録媒体の割り当てを変更すると、制御回路１１１は、サブ表示器１２５に対して、図５（ｃ）に示すように画像データの画質と記録する記録媒体との対応関係を表示させる。すなわち、サブ表示器１２５は、メモリカード１２３ｂに対応する矩形２の下部に「ＲＡＷ」および「ＪＰＥＧ」マークを表示して、矩形２を濃色表示する。さらに、メモリカード１２３ａおよび内蔵メモリ１１３は画像データの記録に割り当てられていないので、サブ表示器１２５は、矩形１および矩形３を淡色表示する。【００４２】
図６に示すフローチャートを用いて、実施の形態による電子カメラ１００の記録媒体の選択動作における各処理について説明する。図６の各処理は制御回路１１１でプログラムを実行して行われる。図６の各処理を行なうプログラムはメモリ（不図示）に格納されており、電源スイッチから電源オン信号が入力される、もしくはメモリカードインタフェース１２２ａ、１２２ｂから検出信号が入力されると起動される。【００４３】
ステップＳ２１０（複数の記録媒体の有無判定）からステップＳ２３０（記録媒体の優先順位を設定）までの各処理は、図４のステップＳ１１０（複数の記録媒体の有無判定）からステップＳ１３０（記録媒体の優先順位を設定）までの各処理と同様の処理を行う。ステップＳ２４０においては、ユーザにより書き込み指定された記録媒体が、ステップＳ２３０で優先順位が最高の記録媒体と同一か否かを判定する。ユーザにより書き込み指定された記録媒体が、優先順位が最高の記録媒体と同一の場合は、ステップＳ２４０が肯定判定されてステップＳ２６０へ進む。【００４４】
ユーザにより書き込み指定された記録媒体が、優先順位が最高の記録媒体と同一ではない場合は、ステップＳ２４０が否定判定されてステップＳ２５０へ進む。ステップＳ２５０においては、ステップＳ２３０で優先順位が最高の記録媒体に画像データが記録されるように割り当てを変更してステップＳ２６０へ進む。ステップＳ２６０においては、サブ表示器１２５に対して、割り当てた記録媒体と、画質との対応関係を表示させて一連の処理を終了する。【００４５】
以上で説明した、第２の実施の形態においては、第１の実施の形態で得られた作用効果に加えて、以下の作用効果が得られる。
制御回路１１１は、同一の被写体に対応するＲＡＷデータとＪＰＥＧ圧縮された画像データとを、検出したアクセス速度が最速の記録媒体であるメモリカード１２３ａに記録するようにした。したがって、記録媒体の書き込み速度がボトルネックとなり、一時記録メモリ１１２の容量が一杯になって撮影を継続できなくなるという事態を防ぐことができるので、電子カメラ１００の処理能力を向上できる。【００４６】
なお、第２の実施の形態の電子カメラ１００においても複数のデータサイズの異なる動画データを記録する場合は、アクセス速度の最高の記録媒体であるメモリカード１２３ａに記録することができる。【００４７】
−第３の実施の形態−
図７〜図８を参照して、本発明による電子カメラの第３の実施の形態を説明する。以下の説明では、第１の実施の形態と同じ構成要素には同じ符号を付して相違点を主に説明する。特に説明しない点については、第１の実施の形態と同じである。本実施の形態では、同一画像データを複数の記録媒体に同時に記録するバックアップ保存が可能な点で、第１の実施の形態と異なる。第３の実施の形態の説明においては、バックアップ保存された画像データを再生する場合について主に述べる。【００４８】
電子カメラ１００が複数の記録媒体を備える場合、すなわち内蔵メモリ１１３に加えて、メモリカード１２３ａ、１２３ｂの少なくとも一方が装着されている場合、ユーザによる操作部１２１の操作によりバックアップモードを設定できる。バックアップモードにおいては、同一画像データを異なる複数の記録媒体に記録するモードである。画像データを記録する記録媒体は、ユーザによる操作部１２１の操作によって選択可能に構成されている。本実施の形態においては、メモリカード１２３ａ、１２３ｂが、画像データを記録する記録媒体として、ユーザにより選択されたものとする。なお、選択可能な記録媒体の数は２つに限定されない。また、第１の実施の形態と同様に、記録媒体のアクセス速度に基づいて制御回路１１１が記録媒体を選択してもよい。【００４９】
バックアップモードにより撮影が行われ、メモリカード１２３ａ、１２３ｂに画像データが記録されたものとして説明する。その後、電源オフ、メモリカード１２３ａ、１２３ｂの着脱が行われず、ユーザによる操作部１２１の操作により再生モードが設定されたものとする。この場合、制御回路１１１は、第１の実施の形態と同様に、内蔵メモリ１１３、メモリカード１２３ａ、１２３ｂのデータ伝送方式の規格に基づくそれぞれのアクセス速度を読み込む。そして、制御回路１１１は、読み込んだアクセス速度、すなわち読み出し速度に基づいて、内蔵メモリ１１３、メモリカード１２３ａ、１２３ｂの読み出し速度に関して優先順位を設定する。すなわち、制御回路１１１は、メモリカード１２３ａ、１２３ｂ、内蔵メモリ１１３の順序で優先順位を設定する。そして、制御回路１１１は、バックアップモードで画像データの記録に用いられたメモリカード１２３ａ、１２３ｂの内、優先順位の高いメモリカード１２３ａを、画像データを読み出すための記録媒体として割り当てる。【００５０】
図７に示すように、画像データを読み出す記録媒体を割り当てると、制御回路１１１はサブ表示器１２５に対して、割り当てた記録媒体を表示させる。図３において、矩形１はメモリカード１２３ａを、矩形２はメモリカード１２３ｂを、矩形３は内蔵メモリ１１３を表す。なお、記録媒体を表すものは矩形に限定されない。上述のように、メモリカード１２３ａが割り当てられると、サブ表示器１２５は、矩形１を濃色表示し、矩形２および矩形３を淡色表示する。【００５１】
図８に示すフローチャートを用いて、実施の形態による電子カメラ１００の記録媒体の選択動作における各処理について説明する。図８の各処理は制御回路１１１でプログラムを実行して行われる。図８の各処理を行なうプログラムはメモリ（不図示）に格納されており、操作部１２１から再生モードが設定されたことを示す信号が入力されると起動される。【００５２】
ステップＳ３１０（複数の記録媒体の有無判定）からステップＳ３３０（記録媒体の優先順位を設定）までの各処理は、図４のステップＳ１１０（複数の記録媒体の有無判定）からステップＳ１３０（記録媒体の優先順位を設定）までの各処理と同様の処理を行う。ステップＳ３４０においては、バックアップモードで撮影された後、電源オフおよびメモリカード１２３ａ、１２３ｂの着脱が行なわれていないか否かを判定する。バックアップモードで撮影された後、電源オフおよびメモリカード１２３ａ、１２３ｂの着脱が行なわれていない場合は、ステップＳ３４０が肯定判定されてステップＳ３５０へ進む。バックアップモードで撮影された後、電源オフもしくはメモリカード１２３ａ、１２３ｂの着脱が行なわれた場合は、ステップＳ３４０が否定判定されて一連の処理を終了する。【００５３】
ステップＳ３５０においては、ステップＳ３３０で設定した優先順位に基づいて、バックアップモードで画像データの記録に用いた記録媒体の内、画像データの読み出しに用いる記録媒体を割り当ててステップＳ３６０へ進む。ステップＳ３６０においては、サブ表示器１２５に対して、ステップＳ３５０で割り当てた記録媒体を表示させて一連の処理を終了する。【００５４】
以上で説明した、第３の実施の形態においては、以下の作用効果が得られる。
バックアップモードで取得され、メモリカード１２３ａおよび１２３ｂに記録された画像データの再生が指示された場合に、制御回路１１１は、アクセス速度が高速なメモリカード１２３ａに記録された画像データを読み出すようにした。したがって、読み出し速度の速い記録媒体を優先して画像データを読み出して、画像をメイン表示器１２０に表示するので、ユーザは撮影した画像を即座に確認することができる。【００５５】
−第４の実施の形態−
本発明による電子カメラの第４の実施の形態を説明する。以下の説明では、第１の実施の形態と同じ構成要素には同じ符号を付して相違点を主に説明する。特に説明しない点については、第１の実施の形態と同じである。本実施の形態では、複数の記録媒体のアクセス速度に加えて、記録媒体の残容量をも加味して、いずれの記録媒体に画像データを記録するかを選択できる点で、第１の実施の形態と異なる。【００５６】
第４の実施の形態の電子カメラ１００は、図９のブロック図に示すように、メモリカード１２３ｃおよび１２３ｄと、内蔵メモリ１１３ｂとを備える。制御回路１１１は、メモリカードインタフェース１２２ａおよび１２２ｂを介して、メモリカード１２３ｃおよび１２３ｄの残容量を読み込む。さらに、制御回路１１１は、内蔵メモリ１１３ｂの残容量を読み込む。以下の説明では、３つの記録媒体のアクセス速度がそれぞれ異なる場合と、いずれか２つの記録媒体のアクセス速度が等しい場合に分けて説明する。【００５７】
１．アクセス速度がそれぞれ異なる場合
説明の都合上、メモリカード１２３ｃおよび１２３ｄと、内蔵メモリ１１３ｂのアクセス速度および画像データを記録可能な残容量を以下に示すものとする。
（１）メモリカード１２３ｃ（アクセス速度：１秒間当たり９コマ、残容量：１００コマ（ＪＰＥＧ）、２０コマ（ＲＡＷデータ））
（２）メモリカード１２３ｄ（アクセス速度：１秒間当たり３コマ、残容量：１０００コマ（ＪＰＥＧ）、２００コマ（ＲＡＷデータ））
（３）内蔵メモリ１１３ｂ（アクセス速度：１秒間当たり５コマ、残容量：５００コマ（ＪＰＥＧ）、１００コマ（ＲＡＷデータ））
なお、メモリカード１２３ｃ、１２３ｄと内蔵メモリ１１３ｂに記録可能な画像データの枚数は、設定された画質やサイズに応じた画像データ１枚あたりの見込み容量に基づくものであり、設定された画質やサイズが異なれば、記録可能な画像データの枚数は異なる。【００５８】
電子カメラ１００は、記録モードとして以下の３つのモードを有する。ユーザは、操作部２１を操作することにより、３つのモードのうちのいずれかを選択できる。なお、モード選択は、メイン表示器１２０に表示されるメニュー画面から選択することができる。
（１）パフォーマンス優先モード
（２）撮影枚数優先モード
（３）バランスモード【００５９】
１−１．パフォーマンス優先モード
パフォーマンス優先モードにおいては、制御回路１１１は、内蔵メモリ１１３ｂと、交換可能なメモリカード１２３ｃおよび１２３ｄのそれぞれのアクセス速度に基づいて、画像データを記録するための記録媒体を選択する。すなわち、制御回路１１１は、第１の実施の形態において説明したように、３つの記録媒体についてアクセス速度に関して優先順位を設定する。本実施の形態の場合、図１０（ａ）の記録媒体の優先順位を説明する図に示すように、制御回路１１１は、メモリカード１２３ｃ、内部メモリ１１３ｂ、メモリカード１２３ｄの順序で優先順位を設定する。たとえばノーマル画質（ＪＰＥＧ）の画像データを取得する場合、制御回路１１１は、優先順位が高に設定された記録媒体に画像データを記録させる。【００６０】
画質の異なる複数の画像データを取得する場合、たとえばＲＡＷデータとノーマル画質の画像データを取得する場合、制御回路１１１は、第１の実施の形態と同様にして、画像データのデータサイズに関して順位付けをする。そして、制御回路１１１は、図１０（ｂ）に示すように、順位付けの高い画像データ（ＲＡＷデータ）を優先順位の高い記録媒体（メモリカード１２３ｃ）に記録し、順位付けの低いデータ（ノーマル画質の画像データ）を優先順位が２番目の記録媒体（内蔵メモリ１１３ｂ）に記録するように設定する。【００６１】
１−２．撮影枚数優先モード
撮影枚数優先モードにおいては、制御回路１１１は、内蔵メモリ１１３ｂと、交換可能なメモリカード１２３ｃおよび１２３ｄのそれぞれの残容量に基づいて、画像データを記録するための記録媒体を選択する。すなわち、制御回路１１１は、３つの記録媒体について残容量が多い順に優先順位を設定する。本実施の形態の場合、図１０（ａ）に示すように、制御回路１１１は、メモリカード１２３ｄ、内部メモリ１１３ｂ、メモリカード１２３ｃの順序で優先順位を設定する。たとえばノーマル画質（ＪＰＥＧ）の画像データを取得する場合、制御回路１１１は、優先順位が高に設定された記録媒体に画像データを記録させる。【００６２】
画質の異なる複数の画像データを取得する場合、たとえばＲＡＷデータとノーマル画質の画像データを取得する場合、制御回路１１１は、第１の実施の形態と同様にして、画像データのデータサイズに関して順位付けをする。そして、制御回路１１１は、図１０（ｂ）に示すように、順位付けの高い画像データ（ＲＡＷデータ）を優先順位の高い記録媒体（メモリカード１２３ｄ）に記録し、順位付けの低いデータ（ノーマル画質の画像データ）を優先順位が２番目の記録媒体（内蔵メモリ１１３ｂ）に記録するように設定する。【００６３】
１−３．バランスモード
バランスモードにおいては、画像データを記録するための速度や記録枚数をユーザにより設定可能に構成されている。なお、画像データを記録するための速度は、たとえば１秒当たり４コマと６コマのうちいずれかをユーザにより選択可能であるものとして説明する。バランスモードが設定されると、制御回路１１１は、内蔵メモリ１１３ｂと、交換可能なメモリカード１２３ｃおよび１２３ｄの中から、アクセス速度もしくは残容量に関してユーザが設定した記録媒体についての条件に適した記録媒体を選択する。【００６４】
制御回路１１１は、図１１に示すように、サブ表示器１２５に対してそれぞれの記録媒体のアクセス速度および残容量を表示させる。図１１において、矩形４はメモリカード１２３ｃ、矩形５はメモリカード１２３ｄ、矩形６は内蔵メモリ１１３ｂを表す指標であり、記録媒体それぞれのアクセス速度および残容量は、矩形４〜６の上部にそれぞれ表示される。なお、アクセス速度および残容量の表示位置は、矩形４〜６の上部に限定されず、矩形４〜６の近傍（下部、横）もしくは矩形の内部等であってもよい。【００６５】
１−３−１．画像データの記録速度が設定された場合
１−３−１−１．画質の等しい画像データを取得する場合
以下、画質モードがノーマル（ＪＰＥＧ）に設定されているものとして説明する。ユーザにより画像データの記録速度が所定の速度（設定記録速度）に設定されると、制御回路１１１は、メモリカード１２３ｃ、１２３ｄ、および内蔵メモリ１１３ｂのアクセス速度を参照する。そして、制御回路１１１は、設定記録速度以上であり、かつ設定記録速度に近似した記録速度を有する順序で記録媒体に対して優先順位を設定する。【００６６】
画像データの設定記録速度が、たとえば１秒当たり４コマに設定されたものとする。この場合、図１０（ａ）に示すように、制御回路１１１は、１秒当たり５コマの記録速度を有する内蔵メモリ１１３ｂの優先順位を最高に設定し、１秒当たり９コマの記録速度を有するメモリカード１２３ｃの優先順位を第２番目に設定する。記録速度が設定記録速度を下回るメモリカード１２３ｄ（１秒当たり３コマ）の優先順位は、第３番目に設定される。そして、制御回路１１１は、上記のように記録媒体の優先順位を設定すると、サブ表示器１２５に対して、図１１（ａ）に示すように、矩形６を濃色表示させ、矩形４，５を淡色表示させる。【００６７】
また、画像データの設定記録速度が、たとえば１秒当たり６コマに設定された場合についても、制御回路１１１は、同様にして、メモリカード１２３ｃ、１２３ｄ、および内蔵メモリ１１３ｂのアクセス速度を参照して、記録媒体の優先順位を設定する。その結果、図１０（ａ）に示すように、メモリカード１２３ｃ、内蔵メモリ１１３ｂ、メモリカード１２３ｄの順序で優先順位が設定される。そして、制御回路１１１は、上記のように記録媒体の優先順位を設定すると、サブ表示器１２５に対して、図１１（ｂ）に示すように、矩形４を濃色表示させ、矩形５，６を淡色表示させる。【００６８】
１−３−１−２．画質の異なる複数の画像データを取得する場合
以下、画質モードがＲＡＷ＋ノーマル（ＪＰＥＧ）に設定されているものとして説明する。画像データの記録速度が所定の速度（設定記録速度）に設定されると、制御回路１１１は、設定記録速度以上であり、かつ設定記録速度に近似した記録速度を有する順序で記録媒体に対して優先順位を設定する。画像データの設定記録速度が、たとえば１秒当たり４コマに設定されたものとすると、制御回路１１１は、内蔵メモリ１１３ｂ、メモリカード１２３ｃ、メモリカード１２３ｄの順序で優先順位を設定する。【００６９】
制御回路１１１は、第１の実施の形態と同様にして画像データのサイズを予測し、データサイズの順位付けをする。すなわち、制御回路１１１は、ＲＡＷデータ、ノーマル画質の画像データの順で順位付けをする。そして、制御回路１１１は、上述のようにして優先順位が設定された記録媒体のうち、優先順位の高い記録媒体を順位付けの高いＲＡＷデータを記録するための記録媒体として選択する。この場合、制御回路１１１は、内蔵メモリ１１３ｂを、ＲＡＷデータを記録するための記録媒体として選択する。【００７０】
次に、制御回路１１１は、優先順位が第２番目の記録媒体を順位付けの低いノーマル画質の画像データを記録するための記録媒体として選択する。すなわち、メモリカード１２３ｃが、ノーマル画質の画像データを記録するための記録媒体として選択される。この結果、制御回路１１１は、図１０（ｂ）に示すように、優先順位を設定する。そして、制御回路１１１は、上記のように記録媒体の優先順位を設定すると、サブ表示器１２５に対して、図１１（ｃ）に示すように、矩形６を濃色表示させ、ＲＡＷデータが記録されることを示す指標として、矩形６の下部に「ＲＡＷ」マークを表示させる。また、制御回路１１１は、サブ表示器１２５に対して矩形４を濃色表示させるとともに、矩形４の下部にノーマル画質の画像データが記録されることを示す指標として、「ＪＰＥＧ」マークを表示させる。メモリカード１２３ｄに相当する矩形５は淡色表示される。なお、メモリカード１２３ｄには、内蔵メモリ１１３ｂおよびメモリカード１２３ｃの残容量が画像データの記録に十分な容量に満たなくなると、制御回路１１１は、メモリカード１２３ｄにＲＡＷデータおよびノーマル画質の画像データを記録するように設定を行う。【００７１】
画像データの設定記録速度が、たとえば１秒当たり６コマに設定された場合についても、制御回路１１１は、同様にして、メモリカード１２３ｃ、内蔵メモリ１１３ｂ、メモリカード１２３ｄの順序で優先順位を設定する。この場合、設定記録速度（１秒当たり６コマ）よりも高速の記録速度を有する記録媒体は、メモリカード１２３ｃのみである。したがって、画像データの順位付けに関わらず、制御回路１１１は、優先順位が最高のメモリカード１２３ｃにＲＡＷデータおよびノーマル画質の画像データを、記録媒体に設定した優先順位に従って記録するように設定する。すなわち、図１０（ｂ）に示すように、ＲＡＷデータおよびノーマル画質の画像データが、メモリカード１２３ｃ、内蔵メモリ１１３ｂ、メモリカード１２３ｄの順序で記録されるように設定される。このとき、制御回路１１１は、サブ表示器１２５に対して、図１１（ｄ）に示すように、矩形４を濃色表示させ、矩形５，６を淡色表示させるとともに、矩形４の下部に「ＲＡＷ」および「ＪＰＥＧ」マークを表示させる。【００７２】
１−３−２．記録枚数が設定された場合
１−３−２−１．画質の等しい画像データを取得する場合
画質モードがノーマル（ＪＰＥＧ）に設定されているものとして説明する。ユーザにより画像データの記録枚数（設定記録枚数）が設定されると、制御回路１１１は、メモリカード１２３ｃ、１２３ｄ、および内蔵メモリ１１３ｂの残容量を読み込む。読み込んだ残容量に基づいて、制御回路１１１は、３つの記録媒体のうち、設定記録枚数を超える画像データを記録可能な残容量を有する記録媒体から順次、高い優先順位を設定する。いずれの記録媒体も設定記録枚数を超える画像データを記録するために必要な残容量を有していない場合は、制御回路１１１は、残容量の多い順に高い優先順位を設定する。【００７３】
設定記録枚数が、たとえば７００コマに設定された場合、図１０（ａ）に示すように、制御回路１１１は、残容量が１０００コマに相当するメモリカード１２３ｄの優先順位を最高に設定する。そして、制御回路１１１は、残容量が５００コマに相当する内蔵メモリ１１３ｂの優先順位を第２番目、残容量が１００コマに相当するメモリカード１２３ｃの残容量を第３番目に設定する。そして、制御回路１１１は、サブ表示器１２５に対して、図１１（ｅ）に示すように、矩形４を濃色表示させ、矩形５，６を淡色表示させる。【００７４】
１−３−２−２．画質の異なる複数の画像データを取得する場合
画質モードがＲＡＷ＋ノーマル（ＪＰＥＧ）に設定されているものとして説明する。上述した場合と同様に、ユーザにより画像データの設定記録枚数が設定されると、制御回路１１１は、設定記録枚数を超える画像データを記録可能な残容量を有する記録媒体から順次、高い優先順位を設定する。さらに、制御回路１１１は、第１の実施の形態と同様にして画像データのサイズを予測し、データサイズの順位付けをする。すなわち、制御回路１１１は、ＲＡＷデータ、ノーマル画質の画像データの順で順位付けをする。そして、制御回路１１１は、上述のようにして優先順位が設定された記録媒体のうち、優先順位の高い記録媒体を順位付けの高いＲＡＷデータを記録するための記録媒体として選択する。【００７５】
設定記録枚数が、たとえば２００コマに設定されたものとする。図１０（ｂ）に示すように、制御回路１１１は、残容量がＲＡＷデータ２００コマに相当するメモリカード１２３ｄの優先順位を最高に設定し、ＲＡＷデータをメモリカード１２３ｄに記録するように設定する。また、制御回路１１１は、残容量がノーマル画質の画像データ５００コマに相当する内蔵メモリ１１３ｂの優先順位を第２番目に設定し、ノーマル画質の画像データを内蔵メモリ１１３ｂに記録するように設定する。このとき、制御回路１１１は、サブ表示器１２５に対して、図１１（ｆ）に示すように、矩形５、６を濃色表示させ、矩形５の下部に「ＲＡＷ」マークを、矩形６の下部に「ＪＰＥＧ」マークを表示させる。さらに、制御回路１１１は、矩形４を淡色表示させる。【００７６】
２．いずれか２つの記録媒体のアクセス速度が等しい場合
説明の都合上、メモリカード１２３ｃおよび１２３ｄと、内蔵メモリ１１３ｂのアクセス速度および画像データを記録可能な残容量を以下に示すものとする。
（１）メモリカード１２３ｃ（アクセス速度：１秒間当たり６コマ、残容量：１０コマ（ＪＰＥＧ）、２コマ（ＲＡＷデータ））
（２）メモリカード１２３ｄ（アクセス速度：１秒間当たり６コマ、残容量：１０００コマ（ＪＰＥＧ）、２００コマ（ＲＡＷデータ））
（３）内蔵メモリ１１３ｂ（アクセス速度：１秒間当たり４コマ、残容量：３０００コマ（ＪＰＥＧ）、６００コマ（ＲＡＷデータ））【００７７】
２−１．パフォーマンス優先モード
パフォーマンス優先モードにおいては、上述したように、制御回路１１１は、内蔵メモリ１１３ｂと、メモリカード１２３ｃおよび１２３ｄのそれぞれのアクセス速度および残容量を読み込む。制御回路１１１は、メモリカード１２３ｃ、１２３ｄのアクセス速度が等しいと判定すると、読み込んだ残容量に基づいて、メモリカード１２３ｃ、１２３ｄの残容量を比較する。そして、制御回路１１１は、アクセス速度が等しい記録媒体については、残容量の多い記録媒体に高い優先順位を設定する。したがって、制御回路１１１は、図１２に示すように、メモリカード１２３ｄ、メモリカード１２３ｃ、内蔵メモリ１１３ｂの順序で優先順位を設定する。【００７８】
２−２．撮影枚数優先モード
撮影枚数優先モードにおいては、制御回路１１１は、上述した場合と同様にして、内蔵メモリ１１３ｂと、メモリカード１２３ｃおよび１２３ｄのそれぞれの残容量に基づいて、残容量が多い順に優先順位を設定する。したがって、図１２に示すように、制御回路１１１は、内部メモリ１１３ｂ、メモリカード１２３ｄ、メモリカード１２３ｃの順序で優先順位を設定する。【００７９】
２−３．バランスモード
２−３−１．画像データの記録速度が設定された場合
ユーザにより画像データの記録速度が所定の速度（設定記録速度）に設定されると、制御回路１１１は、上述したように、設定記録速度以上であり、かつ設定記録速度に近似した記録速度を有する順序で記録媒体に対して優先順位を設定する。制御回路１１１は、設定記録速度を超える同一の記録速度を有する複数の記録媒体があると判定すると、読み込んだ残容量に基づいて、同一の記録速度を有する記録媒体の残容量を比較する。そして、制御回路１１１は、記録速度が等しい記録媒体については、残容量の多い記録媒体に高い優先順位を設定する。【００８０】
画像データの設定記録速度が、たとえば１秒当たり５コマに設定されたものとすると、図１２に示すように、制御回路１１１は、１秒当たり６コマの記録速度を有し、残容量が１０００コマのメモリカード１２３ｄの優先順位を最高に設定し、記録速度が１秒当たり６コマであり残容量が１０コマのメモリカード１２３ｃの優先順位を第２番目に設定する。記録速度が設定記録速度を下回る内蔵メモリ１１３ｂ（１秒当たり４コマ）の優先順位は、第３番目に設定される。【００８１】
２−３−２．記録枚数が設定された場合
上述した撮影枚数優先モードの場合と同様にして、制御回路１１１は、３つの記録媒体のそれぞれの残容量に基づいて、残容量が多い順に優先順位を設定する。したがって、図１２に示すように、制御回路１１１は、内部メモリ１１３ｂ、メモリカード１２３ｄ、メモリカード１２３ｃの順序で優先順位を設定する。【００８２】
なお、制御回路１１１は、メモリカードインタフェース１２２ａ、１２２ｂを介して、メモリカードが交換されたことを検出すると、その都度優先順位の設定を行う。そして、制御回路１１１は、記録媒体の優先順位に変更がある場合は、新たに優先順位が高となった記録媒体に画像データを記録するように設定する。【００８３】
たとえば、上述したパフォーマンス優先モードにおいて、図１０（ａ）に示すようにメモリカード１２３ｃ、内部メモリ１１３ｂ、メモリカード１２３ｄの順序で優先順位を設定されている状態で、メモリカード１２３ｄが異なるメモリカード１２３ｅ（図１３）に交換されたものとする。制御回路１１１は、メモリカードインタフェース１２２ａを介してメモリカード１２３ｅのアクセス速度を検出し、メモリカード１２３ｃ、１２３ｅ、内蔵メモリ１１３ｂの間で優先順位を新たに設定する。メモリカード１２３ｅのアクセス速度を１秒当たり１０コマとすると、制御回路１１１は、図１３（ａ）に示すように、メモリカード１２３ｅ、１２３ｃ、内蔵メモリ１１３ｂの順序で優先順位を設定する。その結果、画像データが記録される記録媒体が、メモリカード１２３ｃからメモリカード１２３ｅに変更される。【００８４】
また、上述したパフォーマンス優先モードにおいて、画質モードがＲＡＷ＋ノーマルに設定されている状態、すなわち図１０（ｂ）に示すように記録媒体の優先順位が設定されている状態で、メモリカード１２３ｄが異なるメモリカード１２３ｅ（図１３）に交換されたものとする。この場合も、同様にして、制御回路１１１は、メモリカードインタフェース１２２ａを介してメモリカード１２３ｅのアクセス速度を検出し、メモリカード１２３ｅ、１２３ｃ、内蔵メモリ１１３ｂの順序で優先順位を設定する。そして、制御回路１１１は、図１３（ｂ）に示すように、画像データの順位付けの高いＲＡＷデータを優先順位の高いメモリカード１２３ｅへ記録するように設定し、ノーマル画質の画像データを優先順位が第２番目のメモリカード１２３ｃへ記録するように設定する。その結果、ＲＡＷデータが記録される記録媒体が、メモリカード１２３ｃからメモリカード１２３ｅに変更される。さらに、ノーマル画質の画像データが記録される記録媒体が、メモリカード１２３ｄからメモリカード１２３ｃに変更される。【００８５】
以上で説明した第４の実施の形態によれば、第１の実施の形態により得られる作用効果に加えて、以下の作用効果が得られる。
（１）制御回路１１１は、バランスモードが設定されているときに、内蔵メモリ１１３ｂ、交換可能なメモリカード１２３ｃ、１２３ｄのそれぞれのアクセス速度と残容量とに基づいて、画像データを記録するための記録媒体を選択するようにした。したがって、記録速度を確保したい場合や、記録枚数を確保したい場合のように、ユーザの所望に応じて、複数の記録媒体の中から最適な記録媒体を選択できるので、記録媒体のアクセス速度や残容量が原因となり撮影できない画像が生じることを防ぐことができる。【００８６】
（２）制御回路１１１は、サブ表示器１２５に対してメモリカード１２３ｃ、１２３ｄと内蔵メモリ１１３ｂのそれぞれのアクセス速度と残容量を、それぞれの記録媒体に対応する矩形４〜６の上部にそれぞれ表示させるようにした。したがって、ユーザがサブ表示器１２５に表示された各記録媒体のアクセス速度と残容量を確認できるので、制御回路１１１が記録媒体を選択した根拠を把握でき、利便性が向上する。【００８７】
以上で説明した第1〜第４の実施の形態の電子カメラ１００を次のように変形できる。
（１）内蔵メモリ１１３と２つのメモリカードの３つの記録媒体に画像データを記録するものに代えて、内蔵メモリ１１３と１つのメモリカードの２つの記録媒体に画像データを記録してもよい。または、電子カメラ１００は、内蔵メモリ１１３に加えて、３つ以上のメモリカードを装着可能に備えてもよい。【００８８】
（２）制御回路１１１は、記録媒体のアクセス速度に関する優先順位を設定する際に、記録媒体の書き込まれたデータ伝送方式に関する規格を参照するものに代えて、所定サイズのテストデータを記録媒体に書き込み、書き込みに要した時間を計測して、記録媒体ごとのアクセス速度を測るようにしてもよい。【００８９】
（３）データサイズの異なる複数の画像データを記録する記録媒体を選択するものに代えて、ファイルサイズの等しい異なる複数の画像ファイルを記録するための記録媒体を選択してもよい。ファイルサイズが等しい異なる複数の画像ファイルが生成されるのは、たとえば一方の画像ファイルに含まれる画像データと他方の画像ファイルに含まれる画像データに施された画像処理等（ＡＥブラケット、色処理等）がそれぞれ異なる、すなわちそれぞれのパラメータが異なる場合である。そして、制御回路１１１は、複数の記録媒体の中から、優先順位の高い順序で、画像ファイルの個数分の記録媒体を選択すればよい。【００９０】
また、本発明の特徴を損なわない限り、本発明は上記実施の形態に限定されるものではなく、本発明の技術的思想の範囲内で考えられるその他の形態についても、本発明の範囲内に含まれる。また、実施の形態同士をどのように組み合わせることも可能であり、実施の形態と変形例の一つもしくは複数とを組み合わせることも可能である。【００９１】
次の優先権基礎出願の開示内容は引用文としてここに組み込まれる。
日本国特許出願２００７年第２１２６７２号（２００７年８月１７日）
【図１】
2009025211.tif 000003
【図２】
2009025211.tif 000004
【図３】
2009025211.tif 000005
【図４】
2009025211.tif 000006
【図５】
2009025211.tif 000007
【図６】
2009025211.tif 000008
【図７】
2009025211.tif 000009
【図８】
2009025211.tif 000010
【図９】
2009025211.tif 000011
【図１０】
2009025211.tif 000012
【図１１】
2009025211.tif 000013
【図１２】
2009025211.tif 000014
【図１３】
2009025211.tif 000015
【国際調査報告】
2009025211.tif 000016
2009025211.tif 000017
2009025211.tif 000018
2009025211.tif 000019